(57)【要約】    【課題】防水性に優れたポケット構造の提供。    【解決手段】このポケット構造は、レジャー用パンツ１０に適用され得る。レジャー用パンツ１０は、膝ポケット１４を備えている。膝ポケット１４は、ポケット本体４５と二重フラップ１７とを備えている。二重フラップ１７は、パンツ本体１６に取り付けられたフラップ３３と、ポケット本体４５の一部である外布４８の上端部３４とを備えている。フラップ３３は、閉じ姿勢と開放姿勢との間で姿勢変化し、ポケット本体４５の開口２６を開閉する。上記上端部３４はフラップ３３と共に屈曲され、上記開口２６を開閉する。【選択図】図３
2006028652.tif 000002
【特許請求の範囲】
【請求項１】
衣類に設けられるポケットの構造であって、
上端に開口を有する収容室が設けられた袋状のポケット本体と、
ポケット本体の上方に、上記開口を開放する開放姿勢と上記開口を覆う閉じ姿勢との間で開閉動作自在に縫い付けられたフラップとを備え、
フラップが閉じ姿勢となったときにポケット本体の上縁部が当該ポケット本体の外側に折り重なるように、当該ポケット本体の上部が上記フラップに縫い付けられているポケット構造。
【請求項２】
上記ポケット本体は、衣類の身生地に縫い付けられた基布と、基布に設けられ、上記収容室を区画形成する外布とを有し、
外布の上縁部は、上記フラップが身生地に縫い付けられた部位よりも上方まで延設されており、且つ外布の上縁両端部が上記フラップに縫い付けられている請求項１に記載のポケット構造。
【発明の詳細な説明】
【技術分野】
【０００１】
本発明は、例えばレジャー用ウェア等の衣類に設けられるポケットの構造に関するものである。
【背景技術】
【０００２】
図６は、従来の一般的なレジャー用パンツの正面図である。
このパンツ１は、例えば釣りの際に釣人がアウターウェアとして着用するものである。パンツ１は、腰ポケット２と膝ポケット３とを備えており、これらに釣道具等が収容されるようになっている。また、パンツ１の裾部４は、その裾口５が絞り込まれるようになっており、裾口５の周囲を取り囲むように紐６が裾部４に内装されている。なお、裾部４には、紐止部材７が設けられており、紐６は、この紐止部材７に挿通されている。
【０００３】
なお、レジャー用ウェアのポケットの構造が開示された文献については、例えば、特許文献１及び特許文献２が存在する。
【０００４】
【特許文献１】特開平９−２９６３１４号公報
【特許文献２】特開平９−２９６３１５号公報
【発明の開示】
【発明が解決しようとする課題】
【０００５】
ところで、レジャー用パンツは、通常アウトドアで使用されるものであることから、例えば雨が降ったときでも、ポケットは、容易に浸水しない構造を備えていることが要請される。このような要請は、レジャー用パンツに限られるものではなく、ポケットが設けられた衣類一般に適用される。また、ポケットは、物品を収容するものであることから、衣類着用者が意図せずに物品がポケットから出てしまうことのない構造を備えていることが好ましい。
【０００６】
そこで、本発明の目的は、防水性に優れ且つ物品を確実に収容保持することができるポケット構造を提供することである。
【課題を解決するための手段】
【０００７】
上記目的が達成されるため、本発明に係るポケット構造は、衣類に設けられるポケットの構造であって、上端に開口を有する収容室が設けられた袋状のポケット本体と、ポケット本体の上方に、上記開口を開放する開放姿勢と上記開口を覆う閉じ姿勢との間で開閉動作自在に縫い付けられたフラップとを備える。フラップが閉じ姿勢となったときにポケット本体の上縁部が当該ポケット本体の外側に折り重なるように、当該ポケット本体の上部が上記フラップに縫い付けられている。
【０００８】
この構成によれば、フラップが閉じ姿勢になると、フラップがポケット本体の開口を覆い、当該開口が閉じられる。このとき、ポケット本体の上縁部が当該ポケット本体の外側に折り重なる。つまり、ポケットが閉じられたときは、ポケット本体自体が折り畳まれることによって当該ポケット本体の開口が閉じられる。
【０００９】
具体的には、上記ポケット本体は、衣類の身生地に縫い付けられた基布と、基布に設けられ、上記収容室を区画形成する外布とを有して構成される。外布の上縁部は、上記フラップが身生地に縫い付けられた部位よりも上方まで延設されており、且つ外布の上縁両端部が上記フラップに縫い付けられている。
【発明の効果】
【００１０】
ポケット本体自体が折り畳まれることによって当該ポケット本体の開口が閉じられることから、ポケットは、ポケット本体の開口が二重のフラップにより閉じられる構造となる。したがって、ポケットは、略液密的に閉じられ、雨が降ったとき等においても、ポケットに浸水することがない。その結果、雨が降った場合であってもポケット内の収容物（例えば釣道具等）が濡れることはなく、さらに、ポケットが二重のフラップにより閉じられる構造であるから、ポケット内の収容物が不用意に外部に出てしまうことはない。
【発明を実施するための最良の形態】
【００１１】
以下、適宜図面が参照されつつ、好ましい実施形態に基づいて本発明が詳細に説明される。
【００１２】
図１は、本発明の一実施形態に係るレジャー用パンツの正面図である。このレジャー用パンツ１０は、例えば釣人が釣りの際にアウターウェアとして着用するものである。
【００１３】
レジャー用パンツ１０は、パンツ本体１１とパンツ本体１１に取り付けられたサスペンダー１２と、パンツ本体１１に内装された紐１３とを備えている。本実施形態に係るレジャー用パンツ１０の特徴とするところは、パンツ本体１１に防水性に優れる膝ポケット１４（ポケット）が設けられている点である。このような膝ポケット１４が設けられることにより、釣人は、釣りに必要な小物（釣道具）を実釣中に常時携帯することができる。しかも、後に詳述されるが、釣りの際中に雨等が降ってきた場合であっても、膝ポケット１４内に収容された釣道具が濡れることはない等の効果が奏される。なお、本発明は、レジャー用パンツのみに適用されるものではなく、ポケットが設けられた衣類一般に適用され得ることは勿論である。
【００１４】
パンツ本体１１は、透湿性防水生地（典型的にはゴアテックス（登録商標））等からなる。具体的には、パンツ本体１１は、上記生地が所定形状に裁断され、所定の要領で縫製される。パンツ本体１１には、腰ポケット１５及び上記膝ポケット１４が設けられている。また、サスペンダー１２は、ゴムバンドからなる。サスペンダー１２が設けられることによって、レジャー用パンツ１０は、釣人の身体にフィットする。さらに、紐１３は、パンツ本体１１の裾部１９に配置されている。具体的には、裾部１９の下端部２０は、裾口２１の周縁部に沿って袋状に形成されている。そして、紐１３は、この下端部２０に内装されており、裾口２１を取り囲むように配置されている。この裾部１９には、紐１３を固定する紐固定具２２が取り付けられている。なお、この紐固定具２２は、既知の構造である。紐固定具２２は、外筒と中芯部材とを有し、両者間に紐１３が挟み込まれることによって当該紐１３が固定されるようになっている。したがって、紐１３が紐固定具２２から引き出されることによって、上記裾口２１が絞られる。
【００１５】
図２は、レジャー用パンツ１０の要部拡大斜視図であり、上記膝ポケット１４の外観を示している。図３は、レジャー用パンツ１０の要部拡大斜視図であり、上記膝ポケット１４が開かれた状態を示している。図４は、図３におけるIV−IV断面図である。
【００１６】
膝ポケット１４は、ポケット本体１６と、この膝ポケット１４を開閉する二重フラップ１７とを備えている。膝ポケット１４は、パンツ本体１１の中央部の外側に配置されている。つまり、膝ポケット１４は、釣人がレジャー用パンツ１０を着用したときに、釣人の膝の外側に対応する位置に設けられている。
【００１７】
ポケット本体１６は、パンツ本体１１と同様に、透湿性防水生地（典型的にはゴアテックス（登録商標））等からなり、内部に釣り道具等が収容される収容室１８が形成されている。ポケット本体１６は、基布２５と、基布２５に設けられた外布２４とを有する。これら基布２５及び外布２４は、上記生地が予め所定形状に裁断されたものである。ポケット本体１６は、これら基布２５及び外布２４によって縫製されている。
【００１８】
基布２５は帯状に形成されており、ポケット本体１６の側壁を構成する。基布２５の一方縁部２９（図４参照）は、パンツ本体１１（身生地）に縫い付けられている。外布２４は矩形状を呈し、その側縁及び底縁が基布２５の他方縁部３０（図４参照）に縫い付けられている。外布２４が基布２５に縫い付けられることによって、上記収容室１８が区画されている。図３及び図４が示すように、外布２４は、基布２５よりも上方に延ばされている。外布２４の両側の端部２７（上縁両端部）は、後に詳述されるフラップ３３側に固定されている。ただし、この外布２４の上縁２８は、フラップ３３に縫い付けられていない。したがって、ポケット本体１６は、その上部に開口２６が設けられた袋状に形成されている。
【００１９】
なお、本実施形態では、基布２５の底部に通気孔３１が設けられている。この通気孔３１にはリング３２が設けられている。リング３２は、通気孔３１の周縁部を補強する。もっとも、このリング３２及び通気孔３１は、省略されていてもよい。また。本実施形態では、ポケット本体１６が上記基布２５及び外布２４によって構成されているが、ポケット本体１６の構造はかかる構造に限定されるものではない。要するに、ポケット本体１６は、開口を有する袋状に形成されていればよい。
【００２０】
前述の二重フラップ１７は、上記フラップ３３と上記外布２４の上縁部３４とによって構成されている。フラップ３３は、図２、図３が示すように矩形状に形成されている。このフラップ３３も透湿性防水生地（典型的にはゴアテックス（登録商標））等からなる。図４が示すように、フラップ３３の縁部３５（身生地に縫い付けられた部分）は、パンツ本体１１（身生地）に縫い付けられている。
【００２１】
一方、外布２４の上縁部３４は、二重フラップ１７の一部を構成すると共に、ポケット本体１６の一部である開口２６の周縁部を構成する。この外布２４の上縁部３４は、フラップ３３の縁部３５よりも上方まで延設されている。そして、前述のように外布２４の両側の端部２７（ポケット本体の上部）がフラップ３３に縫い付けられて固定されている。なお、本実施形態では、図３が示すように、外布２４及び基布２５は、束ねられるようにして固定されている。具体的には、これら外布２４及び基布２５は、上記開口２６の近傍、すなわち上記外布２４の両側の端部２７の下方３９において、パンツ本体１１に縫い付けられている。
【００２２】
フラップ３３は、上記縁部３５を起点として回動し、図２が示す閉じ姿勢と図３が示す開放姿勢との間で姿勢変化することができる。これにより、ポケット本体１６の開口２６が開閉される。このとき、フラップ３３と共に上記外布２４の上縁部３４も屈曲される。すなわち、ポケット本体１６の開口２６が閉じられるときは、上記フラップ３３が閉じられると共に、ポケット本体１６の一部（すなわち、上記外布２４の上縁部３４）も外側に屈曲される。つまり、膝ポケット１４が閉じられるときは、ポケット本体１６の上縁部が当該ポケット本体１６の外側に折り重ねられる。
【００２３】
フラップ３３は、スナップファスナー３６を備えている。このスナップファスナー３６は、ソケット３７及びスタッド３８を備えている。ソケット３７は上記フラップ３３に取り付けられ、スタッド３８は上記外布２４の所定位置に取り付けられている。フラップ３３が閉じ姿勢となったときに、上記ソケット３７が上記スタッド３８に嵌め合わされ、これにより、フラップ３３が当該閉じ姿勢に保持される。なお、ソケット３７が上記外布２４の所定位置に取り付けられ、上記スタッド３８が上記上端部３４に取り付けられていてもよい。また、スナップファスナー３６に代えて、面ファスナー等が採用されてもよい。
【００２４】
このレジャー用パンツ１０では、フラップ３３が閉じ姿勢になると、フラップ３３がポケット本体１６の開口２６を覆うと共に、ポケット本体１６の一部（上縁部）が当該ポケット本体１６の外側に折り重なる。つまり、ポケット本体１６の開口２６は、二重フラップ１７により開閉される。したがって、上記開口２６は略液密的に閉じられ、雨が降ったとき等においても、膝ポケット１４に浸水することがない。その結果、ポケット内の収容物（例えば釣道具等）が濡れることはなく、快適な実釣が実現される。しかも、ポケット本体１６が二重フラップ１７により閉じられる構造であるから、例えばこのレジャー用パンツを着用した釣人が激しい運動をしたとき等においても、ポケット内の収容物が簡単に外部に出てしまうことはない。
【００２５】
特に本実施形態では、上記二重フラップ１７の一部が上記ポケット本体１６の一部により構成されているから、上記二重フラップ１７が簡単且つ安価に構造され得る。しかも、ポケット本体１６自身が折り畳まれる構造であるから、一層確実な防水機能が発揮されるという利点がある。
【００２６】
次に、本実施形態の変形例について説明される。図５は、本実施形態の変形例に係る膝ポケットの断面図である。
【００２７】
この変形例に係る膝ポケット４４は、パンツ本体１１の内側に設けられたポケット本体４５と、二重フラップ４６とを備えている。この二重フラップ４６は、フラップ３３とポケット本体４５の一部（上縁部）とから構成される。ポケット本体４５は、その内部に釣り道具等が収容される収容室１８を備えている。ポケット本体４５は、パンツ本体１１と同様に、透湿性防水生地（典型的にはゴアテックス（登録商標））等からなり、基布４７と、基布４７に設けられた外布４８とを有する。ポケット本体４５は、これら基布４７及び外布４８によって縫製されている。
【００２８】
本変形例では、パンツ本体１１には切込部４９が設けられており、この切込部４９の上方に基布４７の上縁部５０が縫い付けられ、切込部４９の下部に外布４８が縫い付けられている。本変形例では、外布４８は、第１外布５１及び第２外布５２に分割されており、第１外布５１の上縁部５５と第２外布５２の下縁部５６とが縫い付けられている。したがて、上記切込部４９の下部においては、パンツ本体１１、第１外布５１及び第２外布５２が一体となるように縫い合わされている。もっとも、第１外布５１と第２外布５２とが一体的に形成されていてもよいことは勿論である。そして、これら基布４７及び外布４８によって上記収容室１８が区画形成されている。
【００２９】
図５が示すように、上記第２外布５２が上記切込部４９の下部に縫い付けられることによって、外布４８は、基布４７よりも上方に延ばされた状態となっている。上記実施形態と同様に（図３参照）、外布４８の両側の端部（上縁両端部）は、フラップ３３側に固定されている。しかも、この外布４８の上縁５７は、フラップ３３に縫い付けられていない。したがって、ポケット本体４５は、その上部に開口２６が設けられた袋状に形成されている。
【００３０】
二重フラップ４６は、上記フラップ３３と上記外布４８の上縁部５８とによって構成されている。フラップ３３は、上記実施形態と同様に（図２、図３参照）矩形状に形成されている。このフラップ３３も透湿性防水生地（典型的にはゴアテックス（登録商標））等からなる。図５が示すように、フラップ３３の縁部３５（身生地に縫い付けられた部分）は、パンツ本体１１に縫い付けられている。一方、外布４８の上縁部５８は、二重フラップ４６の一部を構成すると共に、ポケット本体４５の一部である開口２６の周縁部を構成する。この外布４８の上縁部５８は、フラップ３３の縁部３５よりも上方まで延設されている。
【００３１】
フラップ３３は、上記縁部３５を起点として回動することによって、上記実施形態と同様にポケット本体４５の開口２６を開閉する。このとき、フラップ３３と共に上記外布４８の上縁部５８も屈曲される。すなわち、ポケット本体４５の開口２６が閉じられるときは、上記フラップ３３が閉じられると共に、ポケット本体４５の一部（すなわち、上記外布４８の上縁部５８）も外側に屈曲される。つまり、膝ポケット４４が閉じられるときは、ポケット本体４５の上縁部が当該ポケット本体４５の外側に折り重ねられる。
【００３２】
なお、本変形例に係る膝ポケット４４では、上記実施形態に係る膝ポケット１４に設けられていたスナップファスナー３６（図２、図３参照）が設けられていない。ただし、この膝ポケット４４が上記スナップファスナー３６あるいはこれに代わる面ファスナー等を備えていてもよいことは勿論である。
【００３３】
本変形例においても、フラップ３３が閉じ姿勢になると、フラップ３３がポケット本体４５の開口２６を覆うと共に、ポケット本体４５の上縁部が当該ポケット本体４５の外側に折り重なる。つまり、ポケット本体４５の開口２６は、二重フラップ４６により開閉される。したがって、上記開口２６は略液密的に閉じられ、雨が降ったとき等においても、膝ポケット４４に浸水することがない。その結果、ポケット内の収容物（例えば釣道具等）が濡れることはなく、快適な実釣が実現される。しかも、ポケット本体４５が二重フラップ４６により閉じられる構造であるから、上記実施形態と同様に、ポケット内の収容物が簡単に外部に出てしまうことはない。
【産業上の利用可能性】
【００３４】
本発明は、釣人が着用する釣用パンツのほか、レジャー一般に使用されるパンツ及びポケットを有する衣類一般に適用され得る。
【図面の簡単な説明】
【００３５】
【図１】図１は、本発明の一実施形態に係るレジャー用パンツの正面図である。
【図２】図２は、本発明の一実施形態に係るレジャー用パンツの要部拡大斜視図である。
【図３】図３は、本発明の一実施形態に係るレジャー用パンツの要部拡大斜視図である。
【図４】図４は、図３におけるIV−IV断面図である。
【図５】図５は、本実施形態の変形例に係る膝ポケットの断面図である。
【図６】図６は、従来の一般的なレジャー用パンツの正面図である。
【符号の説明】
【００３６】
１０・・・レジャー用パンツ
１１・・・パンツ本体
１４・・・膝ポケット
１６・・・ポケット本体
１７・・・二重フラップ
２４・・・外布
２５・・・基布
２６・・・開口
２７・・・端部
２８・・・上縁
２９・・・一方縁部
３０・・・他方縁部
３３・・・フラップ
３４・・・上端部
３５・・・縁部
３６・・・スナップファスナー
４４・・・膝ポケット
４５・・・ポケット本体
４６・・・二重フラップ
４７・・・基布
４８・・・外布
５１・・・第１外布
５２・・・第２外布
５３・・・第１外布の下縁部
５５・・・第１外布の上縁部
５６・・・第２外布の下縁部
５８・・・外布の上縁部
【図１】
2006028652.tif 000003
【図２】
2006028652.tif 000004
【図３】
2006028652.tif 000005
【図４】
2006028652.tif 000006
【図５】
2006028652.tif 000007
【図６】
2006028652.tif 000008